(57)【要約】【課題】  ソケットに対して接続ケーブルを斜めに挿入した場合、もしくは接続ケーブルをこじった場合に、プラグ外郭でソケット接点保持部材を破壊してしまう。【解決手段】  プラグ外郭のプラグ端子保持部材の前記溝部を覆う部分に切り欠きを形成することで、ソケットに対して接続ケーブルを斜めに挿入したとしても、プラグ外郭がソケット接点保持部材に接触しない。【選択図】  図２
2008041263.tif 000002
【特許請求の範囲】
【請求項１】
ソケット外郭と、前記ソケット外郭の内側に突出形成されるソケット接点保持部材と、前記ソケット接点保持部材に保持されるソケット接点とを有するソケットに接続可能な接続ケーブルであって、
前記ソケット接点と接触することで電気信号を伝達するプラグ端子と、
前記ソケット接点保持部材が入り込む溝部が形成され、前記溝部の内壁に前記プラグ端子を保持するプラグ端子保持部材と、
前記プラグ端子保持部材の外周を覆うとともに、前記プラグ端子保持部材の前記溝部を覆う部分に切り欠き部が形成されるプラグ外郭と有することを特徴とする接続ケーブル。
【請求項２】
前記切り欠き部は、前記溝部の幅方向の寸法と同一もしくはそれ以上の幅寸法に設定されることを特徴とする請求項１に記載の接続ケーブル。
【請求項３】
前記切り欠き部は、前記溝部の深さ方向の寸法と同一もしくはそれ以上の深さ寸法に設定されることを特徴とする請求項１または２に記載の接続ケーブル。
【請求項４】
ソケット外郭と、前記ソケット外郭の内側に突出形成されるソケット接点保持部材と、前記ソケット接点保持部材に保持されるソケット接点とを有するソケットに接続可能な接続コネクタであって、
前記ソケット接点と接触することで電気信号を伝達するプラグ端子と、
前記ソケット接点保持部材が入り込む溝部が形成され、前記溝部の内壁に前記プラグ端子を保持するプラグ端子保持部材と、
前記プラグ端子保持部材の外周を覆うとともに、前記プラグ端子保持部材の前記溝部を覆う部分に切り欠き部が形成されるプラグ外郭と有することを特徴とする接続コネクタ。
【請求項５】
前記切り欠き部は、前記溝部の幅方向の寸法と同一もしくはそれ以上の幅寸法に設定されることを特徴とする請求項１に記載の接続コネクタ。
【請求項６】
前記切り欠き部は、前記溝部の深さ方向の寸法と同一もしくはそれ以上の深さ寸法に設定されることを特徴とする請求項１または２に記載の接続コネクタ。
【発明の詳細な説明】
【技術分野】
【０００１】
本発明は、電子機器同士を接続する接続ケーブルおよび接続コネクタに関し、特に接続ケーブルおよび接続コネクタの破損防止構造に関するものである。
【背景技術】
【０００２】
図９は従来の接続ケーブル３００と接続コネクタの構成図で、１００は電子機器側に取り付けられるソケット、２００は接続ケーブルに取り付けられるプラグである。
【０００３】
図１０（ａ）はソケット１００の斜視図を示し、図１０（ｂ）はソケット１００のＡ−Ａ断面図、図１０（ｃ）はソケット１００のＢ−Ｂ断面図を示している。ソケット１００は図示するように、外側が金属板によるソケット外郭１０１に覆われている。１０１ａはプラグコネクタ２００がソケット１００に挿入されたときにロックするためのロック突起部である。１０１ｂはプラグコネクタ２００がソケット１００に挿入される際のガイドとなるガイド突起部である。
【０００４】
ソケット外郭１０１の内側にはプラスチックなどの絶縁部材でできた突起状のソケット接点保持部材１０２が配置されている。ソケット接点保持部材１０２の上面と下面に複数個の金属板によるソケット接点１０３が取り付けられている。
【０００５】
図１１（ａ）はプラグコネクタ２００の斜視図を示し、図１１（ｂ）はプラグコネクタ２００のＡ−Ａ断面図、図１１（ｃ）はプラグコネクタ２００のＢ−Ｂ断面図を示している。プラグコネクタ２００は図示するように、外側が金属板によるプラグ外郭２０１に覆われている。２０１ａはプラグコネクタ２００がソケット１００に挿入されたときに、ソケット１００のロック突起部１０１ａに入り込むロック凹部である。２０１ｂはプラグコネクタ２００がソケット１００に挿入される際にソケット１００のガイド突起部１０１ｂと当接するガイド凹部である。
【０００６】
プラグ外郭２０１の内側にはプラスチックなどの絶縁部材でできたプラグ端子保持部材２０２が配置されている。図１１（ｂ）に示すように、プラグ端子保持部材２０２には、プラグコネクタ２００とソケット１００とを接続したときに突起状のソケット接点保持部材１０２が入り込むための接続溝部２０４が形成されている。プラグ端子保持部材２０２は、接続溝部２０４の内側にプラグ端子２０３を保持している。
【０００７】
図１２（ａ）はプラグコネクタ２００とソケット１００とを接続した状態の斜視図を示し、図１２（ｂ）はソケット１００およびプラグコネクタ２００のＡ−Ａ断面図、図１２（ｃ）はソケット１００およびプラグコネクタ２００のＢ−Ｂ断面図を示している。プラグコネクタ２００とソケット１００とを接続すると、図１２（ｂ）に示すように、ソケット外郭１０１にプラグ外郭２０１が内嵌し、ロック突起部１０１ａがロック凹部２０１ａに入り込んでロックされる。さらに、ソケット接点保持部材１０２が接続溝部２０４に入り込んで、ソケット接点１０３がプラグ端子２０３に接触する。このように、従来の接続ケーブルと接続コネクタは構成されている。
【０００８】
このような角筒状のシールドケースの内部に複数のコンタクトピン５を支持した絶縁ハウジング６を配置するコネクタソケットは多数知られている。（特許文献１参照）
【特許文献１】特開２０００−２２３２１８号公報
【発明の開示】
【発明が解決しようとする課題】
【０００９】
図１２は上述した従来の接続ケーブルとソケットを接続する際に、ソケット１００に対してプラグコネクタ２００を斜めに挿入したときの状態を説明する図面である。図示するように挿入した場合、プラグ外郭２０１の縁部ｅがソケット接点保持部材１０２に接触してしまう。ソケット接点保持部材１０２はプラスティックで形成されているのに対して、プラグ外郭２０１は金属で形成されている。したがって、このような接触によって、ソケット接点保持部材１０２が削れてしまうおそれがあり、最悪の場合にはソケット接点１０３まで破壊してしまう可能性がある。
【００１０】
本発明は、このような問題に鑑みてなされたものであり、ソケットに対してプラグを斜めに挿入した場合、もしくはプラグをこじった場合に、プラグ外郭でソケット接点保持部材を破壊することのない接続ケーブルおよび接続コネクタを提供することを目的とする。
【課題を解決するための手段】
【００１１】
本発明の接続ケーブルは、ソケット外郭と、前記ソケット外郭の内側に突出形成されるソケット接点保持部材と、前記ソケット接点保持部材に保持されるソケット接点とを有するソケットに接続可能な接続ケーブルであって、前記ソケット接点と接触することで電気信号を伝達するプラグ端子と、前記ソケット接点保持部材が入り込む溝部が形成され、前記溝部の内壁に前記プラグ端子を保持するプラグ端子保持部材と、前記プラグ端子保持部材の外周を覆うとともに、前記プラグ端子保持部材の前記溝部を覆う部分に切り欠き部が形成されるプラグ外郭と有することを特徴としている。
【００１２】
本発明の接続コネクタは、ソケット外郭と、前記ソケット外郭の内側に突出形成されるソケット接点保持部材と、前記ソケット接点保持部材に保持されるソケット接点とを有するソケットに接続可能な接続コネクタであって、前記ソケット接点と接触することで電気信号を伝達するプラグ端子と、前記ソケット接点保持部材が入り込む溝部が形成され、前記溝部の内壁に前記プラグ端子を保持するプラグ端子保持部材と、前記プラグ端子保持部材の外周を覆うとともに、前記プラグ端子保持部材の前記溝部を覆う部分に切り欠き部が形成されるプラグ外郭と有することを特徴としている。
【発明の効果】
【００１３】
本発明によれば、ソケットに対して接続ケーブルを斜めに挿入した場合、もしくは接続ケーブルをこじった場合に、プラグ外郭でソケット接点保持部材を破壊することを防止することが可能となる。
【発明を実施するための最良の形態】
【００１４】
（第１の実施形態）
図１は、本発明の第１の実施形態である接続ケーブルの外観斜視図である。図１に示すように接続ケーブル１はソケット１００に挿入することで接続される。ソケット１００は上述した従来のソケットと同様であるため説明を省略する。
【００１５】
図２（ａ）は接続ケーブル１のプラグコネクタ１０の斜視図を示し、図２（ｂ）はプラグコネクタ１０のＡ−Ａ断面図、図２（ｃ）はプラグコネクタ１０のＢ−Ｂ断面図を示している。プラグコネクタ１０は図示するように、外側が金属板によるプラグ外郭１１に覆われている。１１ａはプラグコネクタ１０がソケット１００に挿入されたときに、ソケット１００のロック突起部１０１ａに入り込むロック凹部である。１１ｂはプラグコネクタ１０がソケット１００に挿入される際にソケット１００のガイド突起部１０１ｂと当接するガイド凹部である。１１ｃはソケット接点保持部材１０２の破損を防止するための切り欠き部である。
【００１６】
プラグ外郭１１の内側にはプラスチックなどの絶縁部材でできたプラグ端子保持部材１２が配置されている。図２（ｂ）に示すように、プラグ端子保持部材１２には、プラグコネクタ１０とソケット１００とを接続したときに突起状のソケット接点保持部材１０２が入り込むための接続溝部１４が形成されている。プラグ端子保持部材１２は、接続溝部１４の内側にプラグ端子１３を保持している。
【００１７】
図３（ａ）はプラグコネクタ１０とソケット１００とを接続した状態の斜視図を示し、図３（ｂ）はソケット１００およびプラグコネクタ１０のＡ−Ａ断面図、図３（ｃ）はソケット１００およびプラグコネクタ１０のＢ−Ｂ断面図を示している。プラグコネクタ１０とソケット１００とを接続すると、図３（ｂ）に示すように、ソケット外郭１０１にプラグ外郭１１が内嵌して、ロック突起部１０１ａがロック凹部１１ａに入り込んでロックされる。さらに、ソケット接点保持部材１０２が接続溝部１４に入り込んで、ソケット接点１０３がプラグ端子１３に接触する。
【００１８】
図４は、ソケット１００に対してプラグコネクタ１０を斜めに挿入したときの状態を説明する図面である。図２に示すように、切り欠き部１１ｃの幅方向の寸法（ｈ１）は接続溝部１４の幅方向の寸法（ｈ２）とよりも僅かに大きくなるように設定されている。切り欠き部１１ｃの深さ方向の寸法（ｄ）はソケット１００に対してプラグコネクタ１０を斜めに挿入しても、プラグ外郭１１がソケット接点保持部材１０２に接触しないように設定されている。したがって、図４に示すように、プラグコネクタ１０を斜めに挿入した場合であっても、切り欠き部１１ｃによって、プラグコネクタ１０をソケット１００に挿入する際に斜めに挿入したとしても、プラグ外郭１１がソケット接点保持部材１０２と接触することがない。なお、切り欠き部１１ｃの幅方向の寸法（ｈ１）が接続溝部１４の幅方向の寸法（ｈ２）同一に設定されていても、プラグ外郭１１がソケット接点保持部材１０２に接触することはなく、同様の効果を奏することができる。
【００１９】
（第２の実施形態）
図５は、本発明の第２の実施形態である接続ケーブルの外観斜視図である。図５に示すように接続ケーブル２はソケット１００に挿入することで接続される。ソケット１００は上述した従来のソケットと同様であるため説明を省略する。
【００２０】
図６（ａ）は接続ケーブル２のプラグコネクタ２０の斜視図を示し、図６（ｂ）はプラグコネクタ２０のＡ−Ａ断面図、図６（ｃ）はプラグコネクタ２０のＢ−Ｂ断面図を示している。プラグコネクタ２０は図示するように、外側が金属板によるプラグ外郭２１に覆われている。２１ａはプラグコネクタ２０がソケット１００に挿入されたときに、ソケット１００のロック突起部１０１ａに入り込むロック凹部である。２１ｂはプラグコネクタ２０がソケット１００に挿入される際にソケット１００のガイド突起部１０１ｂと当接するガイド凹部である。２１ｃはソケット接点保持部材１０２の破損を防止するための切り欠き部である。
【００２１】
プラグ外郭２１の内側にはプラスチックなどの絶縁部材でできたプラグ端子保持部材２２が配置されている。図２（ｂ）に示すように、プラグ端子保持部材２２には、プラグコネクタ２０とソケット１００とを接続したときに突起状のソケット接点保持部材１０２が入り込むための接続溝部２４が形成されている。プラグ端子保持部材２２は、接続溝部２４の内側にプラグ端子２３を保持している。
【００２２】
図７（ａ）はプラグコネクタ２０とソケット１００とを接続した状態の斜視図を示し、図７（ｂ）はソケット１００およびプラグコネクタ２０のＡ−Ａ断面図、図７（ｃ）はソケット１００およびプラグコネクタ２０のＢ−Ｂ断面図を示している。プラグコネクタ２０とソケット１００とを接続すると、図７（ｂ）に示すように、ソケット外郭１０１にプラグ外郭２１が内嵌して、ロック突起部１０１ａがロック凹部１１ａに入り込んでロックされる。さらに、ソケット接点保持部材１０２が接続溝部２４に入り込んで、ソケット接点１０３がプラグ端子２３に接触する。
【００２３】
図８は、ソケット１００に対してプラグコネクタ２０を斜めに挿入したときの状態を説明する図面である。図６に示すように、切り欠き部２１ｃの幅方向の寸法（ｈ１）は接続溝部２４の幅方向の寸法（ｈ２）よりも僅かに大きくなるように設定されている。切り欠き部２１ｃの深さ方向の寸法（ｄ１）は接続溝部２４の深さ方向の寸法（ｄ２）よりも僅かに大きくなるように設定されている。したがって、図８に図示するように、切り欠き部２１ｃによって、プラグコネクタ２０をソケット１００に挿入する際に斜めに挿入したとしても、プラグ外郭２１がソケット接点保持部材１０２と接触することがない。なお、切り欠き部２１ｃの幅方向の寸法（ｈ１）が接続溝部２４の幅方向の寸法（ｈ２）と同一になるように設定しても、プラグ外郭２１がソケット接点保持部材１０２に接触することはなく、同様の効果を奏することができる。また、切り欠き部２１ｃの深さ方向の寸法（ｄ１）は接続溝部２４の深さ方向の寸法（ｄ２）と同一になるように設定しても、同様の効果を奏することができる。
【図面の簡単な説明】
【００２４】
【図１】本発明の第１の実施形態である接続ケーブルの外観斜視図である。
【図２】本発明の第１の実施形態である接続ケーブルのプラグを説明する図である。
【図３】本発明の第１の実施形態である接続ケーブルのプラグをソケットに接続した状態を説明する図である。
【図４】本発明の第１の実施形態である接続ケーブルのプラグをソケットに斜めに挿入した状態を説明する図である。
【図５】本発明の第２の実施形態である接続ケーブルの外観斜視図である。
【図６】本発明の第２の実施形態である接続ケーブルのプラグを説明する図である。
【図７】本発明の第２の実施形態である接続ケーブルのプラグをソケットに接続した状態を説明する図である。
【図８】本発明の第２の実施形態である接続ケーブルのプラグをソケットに斜めに挿入した状態を説明する図である。
【図９】従来の接続ケーブルのプラグとソケットの外観斜視図である。
【図１０】従来のソケットを説明する図である。
【図１１】従来の接続ケーブルのプラグを説明する図である。
【図１２】従来の接続ケーブルのプラグをソケットに接続した状態を説明する図である。
【図１３】従来の接続ケーブルのプラグをソケットに斜めに挿入した状態を説明する図である。
【符号の説明】
【００２５】
１  第１の実施形態である接続ケーブル
２  第２の実施形態である接続ケーブル
１０  接続ケーブル１のプラグ
１１  プラグコネクタ１０のプラグ外郭
１１ｃ  切り欠き部
２０  接続ケーブル２のプラグ
２１  プラグコネクタ２０のプラグ外郭
２１ｃ  切り欠き部
【図１】
2008041263.tif 000003
【図２】
2008041263.tif 000004
【図３】
2008041263.tif 000005
【図４】
2008041263.tif 000006
【図５】
2008041263.tif 000007
【図６】
2008041263.tif 000008
【図７】
2008041263.tif 000009
【図８】
2008041263.tif 000010
【図９】
2008041263.tif 000011
【図１０】
2008041263.tif 000012
【図１１】
2008041263.tif 000013
【図１２】
2008041263.tif 000014
【図１３】
2008041263.tif 000015